【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
１又は複数の無線端末とそれぞれが無線通信を行うことが可能な複数の基地局と、
前記基地局と通信可能に連結されたネットワークコアと、
を含んで構成され、
前記ネットワークコアは、
前記基地局が前記端末から受信したデータを書き込み可能なデータキャッシュと、
前記基地局の動作を制御可能なネットワークコントローラと、
を含んで構成され、
前記ネットワークコアによりスケジュールされていないときに、前記ネットワークコアの外部のユーザであって前記端末とは別であるユーザがデータを前記データキャッシュに書き込み可能なように、前記データキャッシュが前記ネットワークコアの外部からアクセス可能であり、
前記ネットワークコントローラは、前記端末へのデータ送信のために基地局送信帯域を割り当てることによって、前記データキャッシュ内に格納されたデータの前記端末への伝送をスケジュールするように構成された、
通信ネットワーク。
【請求項２】
前記ネットワークコントローラは、前記データキャッシュにデータを書き込む前記ユーザからの、利用可能な帯域のどの部分を前記データの送信に用いるべきかについてのインディケーションに従って、前記データキャッシュから前記端末へのデータ送信に送信帯域を割り当てるように構成された、請求項１に記載の通信ネットワーク。
【請求項３】
前記ネットワークコントローラは、前記端末が所属する基地局に従って、前記データキャッシュから前記端末へのデータ送信に送信帯域を割り当てるように構成された、請求項１又は請求項２に記載の通信ネットワーク。
【請求項４】
前記ネットワークコントローラは、前記端末が所属する基地局に関連する負荷に応じて、前記送信帯域を割り当てるように構成された、請求項３に記載の通信ネットワーク。
【請求項５】
前記ネットワークコントローラは、前記複数の基地局のうち、前記端末が所属する基地局以外の基地局に関連する負荷と比較して、前記端末が所属する基地局に関連する負荷に応じて、前記送信帯域を割り当てるように構成された、請求項４に記載の通信ネットワーク。
【請求項６】
前記データキャッシュは、前記ネットワークコアの外部のユーザであって前記端末とは別であるユーザによって前記データキャッシュに書き込まれた制御データを格納するように構成され、
前記通信ネットワークは、前記データキャッシュから前記端末へ前記制御データを伝送することにより、前記ネットワークコアの外部の前記ユーザによる前記端末の制御を容易にするように構成された、請求項１〜請求項５のいずれか１つに記載の通信ネットワーク。
【請求項７】
前記ネットワークコアによりスケジュールされていないときに、前記ネットワークコアの外部のユーザであって前記端末とは別であるユーザが前記データキャッシュからデータを読み込み可能なように、前記データキャッシュが前記ネットワークコアの外部からアクセス可能である、請求項１〜請求項６のいずれか１つに記載の通信ネットワーク。
【請求項８】
前記ネットワークコアは、認証ユニットを含んで構成され、
前記認証ユニットは、前記データキャッシュにアクセスしようと試みる、前記ネットワークコア外部の任意のユーザを、当該ユーザが前記データキャッシュに対してデータの読み込み及び／又は書き込みを行うことを許可する前に、認証するように構成された、請求項１〜請求項７のいずれか１つに記載の通信ネットワーク。
【請求項９】
前記ネットワークコアは、キャッシュコントローラを含んで構成され、
前記キャッシュコントローラは、前記基地局が前記端末から受信したデータを、当該データを受信した直後に前記データキャッシュに書き込み可能である一方、前記キャッシュコントローラによりスケジュールされたときに、前記ネットワークコアの外部のユーザであって前記端末とは別であるユーザが当該データを読み込みだけ可能とするように、前記データキャッシュに対するアップデートをスケジュールするように構成された、請求項１〜請求項８のいずれか１つに記載の通信ネットワーク。
【請求項１０】
１又は複数の無線端末とそれぞれが無線通信を行うことが可能な複数の基地局と、
前記基地局と通信可能に連結されたネットワークコアと、
を含んで構成され、
前記ネットワークコアは、
前記基地局が前記端末から受信したデータを書き込み可能なデータキャッシュと、
前記データキャッシュに対するアップデートをスケジュールするように構成されたキャッシュコントローラと、
を含んで構成され、
前記ネットワークコアの外部のユーザであって前記端末とは別であるユーザが前記データキャッシュからデータを読み込み可能なように、前記データキャッシュが前記ネットワークコアの外部からアクセス可能であり、
前記キャッシュコントローラは、前記基地局が前記端末から受信したデータを、当該データを受信した直後に前記データキャッシュに書き込み可能である一方、前記キャッシュコントローラによりスケジュールされたときに、前記ネットワークコアの外部のユーザであって前記端末とは別であるユーザが当該データを読み込みだけ可能とするように、前記データキャッシュに対するアップデートをスケジュールするように構成された、
通信ネットワーク。
【請求項１１】
前記キャッシュコントローラは、前記データが前記ユーザにより読み込み可能なときを、前記データに関連する所定のアップデート周期に従ってスケジュールするように構成された、請求項９又は請求項１０に記載の通信ネットワーク。
【請求項１２】
前記キャッシュコントローラは、前記データが前記ユーザにより読み込み可能なときを、前記ユーザに関連する所定のアップデート周期に従ってスケジュールするように構成された、請求項９〜請求項１１のいずれか１つに記載の通信ネットワーク。
【請求項１３】
前記キャッシュコントローラは、前記基地局が前記データを前記データキャッシュに書き込むことと、当該データが前記ユーザによって読み込み可能となることとの間に遅延が発生するように、前記ユーザが前記データを読み込むことが可能であるときをスケジュールするように構成された、請求項９〜請求項１２のいずれか１つに記載の通信ネットワーク。
【請求項１４】
前記ネットワークは、認証ユニットを含んで構成され、
前記キャッシュコントローラは、前記遅延中に、認証のために、前記認証ユニットに前記データを渡すように構成された、請求項１３に記載の通信ネットワーク。
【請求項１５】
前記認証ユニットは、前記データを１つの前記端末から組成されたデータとして認証するように構成された、請求項１４に記載の通信ネットワーク。
【請求項１６】
前記認証ユニットは、前記データキャッシュにアクセスしようと試みる、前記ネットワークコア外部の任意のユーザであって前記端末とは別である任意のユーザを、当該ユーザが前記データキャッシュに対してデータの読み込み及び／又は書き込みを行うことを許可する前に、認証するように構成された、請求項１４又は請求項１５のいずれか１つに記載の通信ネットワーク。
【請求項１７】
前記通信ネットワークは、前記遅延中に前記データに関連する課金レコードを生成するように構成された課金エンティティを含んで構成された、請求項１３〜請求項１６のいずれか１つに記載の通信ネットワーク。
【請求項１８】
前記通信ネットワークは、前記基地局の動作の制御が可能なネットワークコントローラを含んで構成され、
前記ネットワークコントローラは、１又は複数の前記端末からの、１つの前記基地局への前記データの送信に基地局送信帯域を割り当てることにより前記データキャッシュに対するアップデートをスケジュールするように構成された、請求項１０〜請求項１７のいずれか１つに記載の通信ネットワーク。
【請求項１９】
前記ネットワークコントローラは、前記端末によるスケジュールされていないデータの送信を受け入れるように、前記端末による送信に基地局送信帯域を割り当てるように構成された、請求項１８に記載の通信ネットワーク。
【請求項２０】
前記ネットワークコントローラは、前記基地局の動作の制御が可能であり、マシンツーマシン通信用プロトコルに従って前記基地局を制御するように構成された、請求項１〜請求項９、請求項１８及び請求項１９のいずれか１つに記載の通信ネットワーク。
【請求項２１】
前記ネットワークコントローラは、前記基地局による送信用データを、各フレームの持続時間が少なくとも１秒である、一連のフレームに変換するように構成された、請求項１〜請求項９及び請求項１８〜請求項２０のいずれか１つに記載の通信ネットワーク。
【請求項２２】
前記ネットワークコントローラは、前記基地局による送信用データを、各フレームが２秒の持続時間を有する一連のフレームに変換するように構成された、請求項１〜請求項９及び請求項１８〜請求項２１のいずれか１つに記載の通信ネットワーク。
【請求項２３】
本明細書に、添付図面を参照して、実質的に記載された通信ネットワーク。
【手続補正２】
【補正対象書類名】明細書
【補正対象項目名】０００７
【補正方法】変更
【補正の内容】
【０００７】
本発明の一実施形態では、１又は複数の無線端末とそれぞれが無線通信を行うことが可能な複数の基地局と、前記基地局と通信可能に連結されたネットワークコアと、を含んで構成され、前記ネットワークコアは、前記基地局が端末から受信したデータを書き込み可能なデータキャッシュであって、前記ネットワークコアにスケジュールされていないときに当該ネットワークコアの外部のユーザがデータを当該データキャッシュに書き込み可能な方法で、当該ネットワークコアの外部からアクセス可能であるデータキャッシュと、前記基地局の動作を制御可能なネットワークコントローラと、を含んで構成され、前記ネットワークコントローラは、１又は複数の前記端末へのデータ送信のために基地局送信帯域を割り当てることによって、前記端末への前記データキャッシュ内に格納されたデータの伝送をスケジュールするよう構成された、通信ネットワークを提供する。
または、１又は複数の無線端末とそれぞれが無線通信を行うことが可能な複数の基地局と、前記基地局と通信可能に連結されたネットワークコアと、を含んで構成され、前記ネットワークコアは、前記基地局が端末から受信したデータを書き込み可能なデータキャッシュであって、前記ネットワークコアにスケジュールされていないときに、当該ネットワークコアの外部のユーザであって端末とは別であるユーザが、データを当該データキャッシュに書き込み可能な方法で、当該ネットワークコアの外部からアクセス可能であるデータキャッシュと、前記基地局の動作を制御可能なネットワークコントローラと、を含んで構成され、前記ネットワークコントローラは、１又は複数の前記端末へのデータ送信のために基地局送信帯域を割り当てることによって、前記端末への前記データキャッシュ内に格納されたデータの伝送をスケジュールするよう構成された、通信ネットワークを提供する。
【手続補正３】
【補正対象書類名】明細書
【補正対象項目名】００１２
【補正方法】変更
【補正の内容】
【００１２】
前記データキャッシュは、前記ネットワークコアの外部のユーザによって当該データキャッシュに書き込まれた制御データを格納するよう構成され、前記通信ネットワークは、前記データキャッシュから前記１又は複数の端末へ前記制御データを伝送することにより、前記ネットワークコアの外部の前記ユーザによる前記１又は複数の端末の制御を容易にするよう構成されてもよい。
前記データキャッシュは、前記ネットワークコアの外部のユーザであって端末とは別であるユーザによって当該データキャッシュに書き込まれた制御データを格納するよう構成され、前記通信ネットワークは、前記データキャッシュから前記１又は複数の端末へ前記制御データを伝送することにより、前記ネットワークコアの外部の前記ユーザによる前記１又は複数の端末の制御を容易にするよう構成されてもよい。
【手続補正４】
【補正対象書類名】明細書
【補正対象項目名】００１３
【補正方法】変更
【補正の内容】
【００１３】
前記データキャッシュは、前記ネットワークコアによりスケジュールされていないときに前記ネットワークコアの外部のユーザが前記データキャッシュからデータを読み込み可能な方法で、前記ネットワークコアの外部からアクセス可能であってもよい。
前記データキャッシュは、前記ネットワークコアによりスケジュールされていないときに、前記ネットワークコアの外部のユーザであって端末とは別であるユーザが前記データキャッシュからデータを読み込み可能な方法で、前記ネットワークコアの外部からアクセス可能であってもよい。
前記データキャッシュは、前記データキャッシュにアクセスしようと試みる、前記ネットワークコア外部の任意のユーザを、当該ユーザが前記データキャッシュに対してデータの読み込み及び／又は書き込みを行うことを許可する前に、認証するよう構成された認証ユニットを含んで構成されてもよい。
【手続補正５】
【補正対象書類名】明細書
【補正対象項目名】００１４
【補正方法】変更
【補正の内容】
【００１４】
前記ネットワークコアは、前記基地局が前記データキャッシュに端末から受信したデータを、当該データを受信した直後に、書き込み可能である一方、前記キャッシュコントローラによりスケジュールされたときに前記ネットワークコアの外部のユーザが当該データを読み込みだけ可能とする方法で、前記データキャッシュに対するアップデートをスケジュールするよう構成されたキャッシュコントローラを含んで構成されてもよい。
前記ネットワークコアは、前記基地局が前記データキャッシュに端末から受信したデータを、当該データを受信した直後に、書き込み可能である一方、前記キャッシュコントローラによりスケジュールされたときに、前記ネットワークコアの外部のユーザであって端末とは別であるユーザが当該データを読み込みだけ可能とする方法で、前記データキャッシュに対するアップデートをスケジュールするよう構成されたキャッシュコントローラを含んで構成されてもよい。
【手続補正６】
【補正対象書類名】明細書
【補正対象項目名】００１５
【補正方法】変更
【補正の内容】
【００１５】
本発明の第２実施形態では、１又は複数の無線端末とそれぞれが無線通信可能な複数の基地局と、前記基地局と通信可能に連結されたネットワークコアと、を含んで構成され、前記ネットワークコアは、前記基地局が端末から受信したデータを書き込み可能なデータキャッシュであって、前記ネットワークコアによってスケジュールされていないときに当該ネットワークコアの外部のユーザが当該データキャッシュからデータを読み込み可能な方法で、前記ネットワークコアの外部からアクセス可能なデータキャッシュと、前記基地局が前記データキャッシュに端末から受信したデータを、当該データを受信した直後に、書き込み可能である一方、前記キャッシュコントローラによりスケジュールされたときに前記ネットワークコアの外部のユーザが当該データを読み込みだけ可能とする方法で、前記データキャッシュに対するアップデートをスケジュールするよう構成されたキャッシュコントローラと、を含んで構成された通信ネットワークを提供する。
または、１又は複数の無線端末とそれぞれが無線通信可能な複数の基地局と、前記基地局と通信可能に連結されたネットワークコアと、を含んで構成され、前記ネットワークコアは、前記基地局が端末から受信したデータを書き込み可能なデータキャッシュであって、前記ネットワークコアの外部のユーザであり、かつ、端末とは別であるユーザが当該データキャッシュからデータを読み込み可能な方法で、前記ネットワークコアの外部からアクセス可能なデータキャッシュと、前記基地局が前記データキャッシュに端末から受信したデータを、当該データを受信した直後に、書き込み可能である一方、前記キャッシュコントローラによりスケジュールされたときに前記ネットワークコアの外部のユーザであって端末とは別であるユーザが当該データを読み込みだけ可能とする方法で、前記データキャッシュに対するアップデートをスケジュールするよう構成されたキャッシュコントローラと、を含んで構成された通信ネットワークを提供する。
【手続補正７】
【補正対象書類名】明細書
【補正対象項目名】００２０
【補正方法】変更
【補正の内容】
【００２０】
前記認証ユニットは、前記データを前記端末の１から組成されたデータとして認証するよう構成されてもよい。
前記認証ユニットは、前記データキャッシュにアクセスしようと試みる、前記ネットワークコア外部の任意のユーザであって端末とは別である任意のユーザを、当該ユーザが前記データキャッシュに対してデータの読み込み及び／又は書き込みを行うことを許可する前に、認証するよう構成されてもよい。
【手続補正８】
【補正対象書類名】明細書
【補正対象項目名】００２５
【補正方法】変更
【補正の内容】
【００２５】
前記ネットワークコントローラは、前記基地局の動作の制御が可能であり、ウェイトレスプロトコル（Weightless（登録商標） protocol）に従って前記基地局を制御するよう構成されてもよい。
【手続補正９】
【補正対象書類名】明細書
【補正対象項目名】００４０
【補正方法】変更
【補正の内容】
【００４０】
本発明の一実施形態に係る通信ネットワークにおける高レベルでの情報の流れを図１に示す。情報の流れを、マシン通信用のウェイトレス（Weightless（登録商標））プロトコルを実行するネットワークを参照して、一例として示す。この図は、マシン通信可能な組込モジュールに読み出し値を渡す端末（この例示においてはスマートメーターである）を示す。そのモジュールは、読み出し値を符号化し、それを無線インターフェイス上で基地局に送信する。その基地局は、それをコアネットワークに転送する。そこで、データはデータキャッシュ内に格納され、そして、そのデータは、クライアントのＩＴシステムと同期される前に処理されてもよい。
【手続補正１０】
【補正対象書類名】明細書
【補正対象項目名】００６８
【補正方法】変更
【補正の内容】
【００６８】
本発明の１又は複数の異なる実施形態を参照する上記のネットワークは、マシン通信用のバックボーンを提供する。外部ユーザは、そのネットワークを用いて、端末からデータをアップロード及びダウンロードし、並びに、その端末の動作を制御することが可能である。ネットワークは、ホワイトスペースを用いるように適宜構成され、それにより、周波数スペクトルの特定部分を割り当てられることなく動作することが可能である。以上、ネットワークをウェイトレスプロトコル（Weightless（登録商標） protocol）を参照して説明したが、これは、単に例示を目的とし、本発明をいずれかの特定の通信プロトコルに制限するものではない。
【手続補正１１】
【補正対象書類名】明細書
【補正対象項目名】００６９
【補正方法】変更
【補正の内容】
【００６９】
本開示により、出願人は、本明細書に記載された特徴を個々に分離してそれぞれについて及びその特徴の二以上の任意の組み合わせについて、その特徴又は特徴の組み合わせが本明細書に記載されたいずれかの課題を解決するかに関わらず、当業者の共有する通常の知識に照らし本明細書の全体に基づいてその特徴又は組み合わせが実行可能な範囲で、かつ、特許請求の範囲を限定することなく、開示するものである。出願人は、本発明の態様がそのような任意の特徴又は特徴の組み合わせから構成されてもよいことを示す。上述の記載に照らせば、種々の改良例が本発明の範囲で創作できることは当業者には明らかである。
なお、出願当初の請求項は以下の通りであった。
［請求項１］
１又は複数の無線端末とそれぞれが無線通信を行うことが可能な複数の基地局と、
前記基地局と通信可能に連結されたネットワークコアと、
を含んで構成され、
前記ネットワークコアは、
前記基地局が端末から受信したデータを書き込み可能なデータキャッシュであって、前記ネットワークコアにスケジュールされていないときに当該ネットワークコアの外部のユーザがデータを当該データキャッシュに書き込み可能な方法で、当該ネットワークコアの外部からアクセス可能であるデータキャッシュと、
前記基地局の動作を制御可能なネットワークコントローラと、
を含んで構成され、
前記ネットワークコントローラは、１又は複数の前記端末へのデータ送信のために基地局送信帯域を割り当てることによって、前記端末への前記データキャッシュ内に格納されたデータの伝送をスケジュールするよう構成された通信ネットワーク。
［請求項２］
前記ネットワークコントローラは、前記データキャッシュにデータを書き込む前記ユーザからの、利用可能な帯域のどの部分を前記データの送信に用いるべきかについてのインディケーションに従って、前記データキャッシュから前記１又は複数の端末へのデータ送信に送信帯域を割り当てるよう構成された請求項１に記載の通信ネットワーク。
［請求項３］
前記ネットワークコントローラは、前記１又は複数の端末が所属する基地局に従って、前記データキャッシュから前記１又は複数の端末へのデータ送信に送信帯域を割り当てるよう構成された請求項１又は請求項２に記載の通信ネットワーク。
［請求項４］
前記ネットワークコントローラは、前記１又は複数の端末が所属する前記基地局に関連する負荷に応じて、前記送信帯域を割り当てるよう構成された請求項３に記載の通信ネットワーク。
［請求項５］
前記複数の基地局のうち、前記１又は複数の端末が所属する前記基地局以外の他の基地局に関連する負荷と比較して、前記１又は複数の端末が所属する前記基地局に関連する負荷に応じて、前記送信帯域を割り当てるよう構成された請求項４に記載の通信ネットワーク。
［請求項６］
前記データキャッシュは、前記ネットワークコアの外部のユーザによって当該データキャッシュに書き込まれた制御データを格納するよう構成され、
前記通信ネットワークは、前記データキャッシュから前記１又は複数の端末へ前記制御データを伝送することにより、前記ネットワークコアの外部の前記ユーザによる前記１又は複数の端末の制御を容易にするよう構成された請求項１〜５のいずれか１つに記載の通信ネットワーク。
［請求項７］
前記データキャッシュは、前記ネットワークコアによりスケジュールされていないときに前記ネットワークコアの外部のユーザが前記データキャッシュからデータを読み込み可能な方法で、前記ネットワークコアの外部からアクセス可能である請求項１〜６のいずれか１つに記載の通信ネットワーク。
［請求項８］
前記ネットワークコアは、前記基地局が前記データキャッシュに端末から受信したデータを、当該データを受信した直後に、書き込み可能である一方、前記キャッシュコントローラによりスケジュールされたときに前記ネットワークコアの外部のユーザが当該データを読み込みだけ可能とする方法で、前記データキャッシュに対するアップデートをスケジュールするよう構成されたキャッシュコントローラを含んで構成された請求項１〜７のいずれか１つに記載の通信ネットワーク。
［請求項９］
１又は複数の無線端末とそれぞれが無線通信を行うことが可能な複数の基地局と、
前記基地局と通信可能に連結されたネットワークコアと、
を含んで構成され、
前記ネットワークコアは、
前記基地局が端末から受信したデータを書き込み可能なデータキャッシュであって、前記ネットワークコアによってスケジュールされていないときに当該ネットワークコアの外部のユーザが当該データキャッシュからデータを読み込み可能な方法で、前記ネットワークコアの外部からアクセス可能なデータキャッシュと、
前記基地局が前記データキャッシュに端末から受信したデータを、当該データを受信した直後に、書き込み可能である一方、前記キャッシュコントローラによりスケジュールされたときに前記ネットワークコアの外部のユーザが当該データを読み込みだけ可能とする方法で、前記データキャッシュに対するアップデートをスケジュールするよう構成されたキャッシュコントローラと、
を含んで構成された通信ネットワーク。
［請求項１０］
前記キャッシュコントローラは、前記データが前記外部のユーザにより読み込み可能なときを当該データに関連する所定のアップデート周期に従ってスケジュールするよう構成された請求項８又は請求項９に記載の通信ネットワーク。
［請求項１１］
前記キャッシュコントローラは、前記データが前記外部のユーザにより読み込み可能なときを当該ユーザに関連する所定のアップデート周期に従ってスケジュールするよう構成された請求項８〜１０のいずれか１つに記載の通信ネットワーク。
［請求項１２］
前記キャッシュコントローラは、前記基地局が前記データを前記データキャッシュに書き込むことと、当該データが前記外部ユーザによって読み込み可能となることとの間の遅延が発生するように、前記外部ユーザが前記データを読み込むことが可能であるときをスケジュールするよう構成された請求項８〜１１のいずれか１つに記載の通信ネットワーク。
［請求項１３］
前記ネットワークは、認証ユニットを含んで構成され、前記キャッシュコントローラは、前記遅延中に、認証のために、前記認証ユニットに前記データを渡すよう構成された請求項１２に記載の通信ネットワーク。
［請求項１４］
前記認証ユニットは、前記データを前記端末の１から組成されたデータとして認証するよう構成された請求項１３に記載の通信ネットワーク。
［請求項１５］
前記通信ネットワークは、前記遅延中に前記データに関連する課金レコードを生成するよう構成された課金エンティティを含んで構成された請求項１２〜１４のいずれか１つに記載の通信ネットワーク。
［請求項１６］
前記通信ネットワークは、前記基地局の動作の制御が可能なネットワークコントローラであって、前記端末の１又は複数からの、前記複数の基地局のうち１の基地局への前記データの送信に基地局送信帯域を割り当てることにより前記データキャッシュに対するアップデートをスケジュールするよう構成されたネットワークコントローラを含んで構成された請求項９〜１５のいずれか１つに記載の通信ネットワーク。
［請求項１７］
前記ネットワークコアは、前記基地局の動作の制御が可能なネットワークコントローラであって、前記１又は複数の端末によるスケジュールされていないデータの送信を受け入れる方法で、前記１又は複数の端末による送信に基地局送信帯域を割り当てるよう構成されたネットワークコントローラを含んで構成された請求項９〜１６のいずれか１つに記載の通信ネットワーク。
［請求項１８］
前記ネットワークコントローラは、前記基地局の動作の制御が可能であり、マシンツーマシン通信用プロトコルに従って前記基地局を制御するよう構成された請求項１〜８又は請求項１７のいずれか１つに記載の通信ネットワーク。
［請求項１９］
前記ネットワークコントローラは、前記基地局の動作の制御が可能であり、ウェイトレスプロトコルに従って前記基地局を制御するよう構成された請求項１〜８、１７又は請求項１８のいずれか１つに記載の通信ネットワーク。
［請求項２０］
前記ネットワークコントローラは、前記基地局による送信用データを、各フレームの持続時間が少なくとも１秒である、一連のフレームに変換するよう構成された請求項１〜８又は請求項１７〜１９のいずれか１つに記載の通信ネットワーク。
［請求項２１］
前記ネットワークコントローラは、前記基地局による送信用データを、各フレームが２秒の持続時間を有する一連のフレームに変換するよう構成された請求項１〜８又は請求項１７〜２０のいずれか１つに記載の通信ネットワーク。
［請求項２２］
前記ネットワークコアは、前記データキャッシュにアクセスしようと試みる、前記ネットワークコア外部の任意のユーザを、当該ユーザが前記データキャッシュに対してデータの読み込み及び／又は書き込みを行うことを許可する前に、認証するよう構成された認証ユニットを含んで構成された請求項１〜２１のいずれか１つに記載の通信ネットワーク。
［請求項２３］
本明細書に、添付図面を参照して、実質的に記載された通信ネットワーク。